(57)【要約】【目的】本発明は地震時ロック装置とダンパーの両者を作業手間をかけずに最適の位置に取り付けることができるダンパー付き棚の提供を目的とする。【構成】本発明のダンパー付き棚は地震時ロック装置の装置本体の下方にダンパーを設けるため棚の収納の妨げとならず外観もすっきりする。【選択図】        図１
2007002643.tif 000002
【特許請求の範囲】
【請求項１】
棚本体に取り付けられた装置本体の係止体と扉等に取り付けられた係止具が地震時に係合し扉等の開放を停止する地震時ロック装置と、前記装置本体に重ねられて棚本体に固定されるダンパー支持体と、該ダンパー支持体に支持されて前記地震時ロック装置の装置本体の下方に設けられ扉等の閉じる動きを緩衝するダンパーとからなるダンパー付き棚
【請求項２】
扉等の係止具に当接するダンパーとした請求項１の棚
【請求項３】
扉等に直接当接するダンパーとした請求項１の棚
【発明の詳細な説明】
【発明の詳細な説明】
【技術分野】
【０００１】本発明は開き戸、引き出し等（以下これらを扉等という）が地震時に自動ロックされる棚であってダンパー付き棚に関するものである。
【背景技術】
【０００２】従来において地震時に扉等を自動ロックする地震時ロック装置が設けられた棚は公知である。
一方扉等の閉じる動きを緩衝するダンパーも公知であり、最近その使用が拡大している。
ところが従来は地震時ロック装置とダンパーの両者を別々に取り付けていたため作業手間がかかっていた。
【発明が解決しようとする課題】
【０００３】本発明は以上の従来の課題を解決し地震時ロック装置とダンパーの両者を作業手間をかけずに最適の位置に取り付けることができるダンパー付き棚の提供を目的とする。
【課題を解決するための手段】
【０００４】本発明は以上の目的達成のために：
棚本体に取り付けられた装置本体の係止体と扉等に取り付けられた係止具が地震時に係合し扉等の開放を停止する地震時ロック装置の装置本体の下方に設けられ扉等の閉じる動きを緩衝するダンパーを有するダンパー付き棚を提案するものである。
【発明の効果】
【０００５】本発明のダンパー付き棚の効果は次の通りである。
本発明のダンパー付き棚は地震時ロック装置の装置本体の下方にダンパーを設けるため棚の収納の妨げとならず外観もすっきりする。
【発明を実施するための最良の形態】
【０００６】以下本発明のダンパー付き棚を図面に示す実施例に従って説明する。
図１及び図２は地震時ロック装置が設けられた本発明のダンパー付き棚を示し、該地震時ロック装置は棚本体（９０）に取り付けられた装置本体（１）の係止体（２）と扉等（９１）に取り付けられた係止具（７）が地震時に係合し扉等の開放を停止するものである。
図示の実施例の地震時ロック装置は軸で回動可能な係止体（２）が装置本体（１）に設けられている。
該係止体（２）は図３に示す様に扉等（９１）が閉じられた状態で地震時のゆれで装置本体（１）内の球等の地震検出体（３）が一点鎖線の位置に移動することにより回動不能になるものである。
従って地震時には扉等（９１）は一点鎖線の位置までわずかに開くがそれ以上は開放を停止され、地震時にばたつくロック状態となる。
図１に戻って装置本体（１）に重ねられて棚本体（９０）に固定されるダンパー支持体（４）が設けられる。
すなわちダンパー支持体（４）は図２に示す様にねじ孔（４ｄ）が設けられた取付部（４ａ）を有し、該取付部（４ａ）が装置本体（１）のフランジに重ねられてビス等（８）で棚本体（９０）に固定される。
該取付部（４ａ）の後方には壁部（４ｂ）が下方に延びて設けられ、該壁部（４ｂ）の下方に連続して支持部（４ｃ）が設けられる。
該支持部（４ｃ）は図１に示す様にダンパーの本体（５）を支持するものであり、図示の実施例では本体（５）が挿入される。
次にダンパーの伸縮体（６）が本体（５）の前方に伸縮可能に設けられ、本体（５）が装置本体（１）の下方であるため該伸縮体（６）は前記係止体（２）の先端の係止部の後方に位置決めされる。
ダンパーの伸縮体（６）は本体（５）内のばねにより突出する力を常に受ける一方縮む際には本体（５）内のオイルの流れの抵抗でその縮む動きが緩衝されるものである。
次に前記係止具（７）はその先端において下方に延びダンパーの伸縮体（６）に当接するための当たり部（７ａ）を有する。【０００７】以上の実施例に示した本発明のダンパー付き棚及びダンパーの作用は次の通り。
すなわち地震時でなく通常使用時に図１に示す様に開かれた扉等（９１）が閉じられる際には扉等（９１）の係止具（７）は係止体（２）に当たるがそれを回動させて（球等の地震検出体（３）は実線の位置にあるため）上方に持ち上げ通過する。
扉等（９１）の係止具（７）は図３に示す様に係止体（２）を通過した後にその当たり部（７ａ）においてダンパーの伸縮体（６）に当接しそれを押すため、扉等（９１）は緩衝されながら閉じられる。
逆に扉等（９１）を開く際には係止具（７）は係止体（２）に当たるが閉じる際と同様にそれを回動させて上方に持ち上げ通過する。
次に地震時には係止体（２）は図３に示す様に扉等（９１）が閉じられた状態で地震時のゆれで装置本体（１）内の地震検出体（３）が一点鎖線の位置に移動することにより回動不能になる。
従って地震時には扉等（９１）は一点鎖線の位置までわずかに開くがそれ以上は開放を停止され、地震時にばたつくロック状態となる。
ばたつく際の扉等（９１）の閉じる動きはダンパーがあるためダンパーの伸縮体（６）に係止具（７）の当たり部（７ａ）が当たり地震時のばたつきは緩衝される。
地震が終了すれば扉等（９１）はばね付き蝶番の力（ダンパーを縮ませる力を有する）で閉じられる一方球等の地震検出体（３）は実線の位置に戻る（底面の傾斜のため）。
これにより使用者は解除操作をすることなく地震が終了すれば扉等（９１）を自由に開くことができる。【０００８】次に図４及び図５は地震時ロック装置が設けられた本発明の他のダンパー付き棚を示し、該地震時ロック装置は棚本体（９０）に取り付けられた装置本体（１）の係止体（２）と扉等（９１）に取り付けられた係止具（７）が地震時に係合し扉等の開放を停止するものである。
図示の実施例の地震時ロック装置は軸で回動可能な係止体（２）が装置本体（１）に設けられている。
該係止体（２）は扉等（９１）が閉じられた状態で地震時のゆれで装置本体（１）内の球等の地震検出体（３）が前方、後方または側方に移動することにより一点鎖線に示す様にその先端が下方に回動する。
従って地震時には扉等（９１）は一点鎖線の位置までわずかに開くがそれ以上は係止体（２）と係合し開放を停止され、地震時にばたつくロック状態となる。
一方装置本体（１）に重ねられて棚本体（９０）に固定されるダンパー支持体（４）が設けられる。
すなわちダンパー支持体（４）は図５に示す様にねじ孔（４ｄ）が設けられた取付部（４ａ）を有し、該取付部（４ａ）が装置本体（１）のフランジに重ねられてビス等（８）で棚本体（９０）に固定される。
該取付部（４ａ）の側方には壁部（４ｂ）が下方に延びて設けられ、該壁部（４ｂ）の下方に連続して支持部（４ｃ）が設けられる。
該支持部（４ｃ）は図４に示す様にダンパーの本体（５）を支持するものであり、図示の実施例では本体（５）が挿入される。
次にダンパーの伸縮体（６）が本体（５）の前方に伸縮可能に設けられ、本体（５）が装置本体（１）の下方であり該伸縮体（６）は前記係止体（２）の下方に位置決めされる。【０００９】以上の実施例に示した本発明のダンパー付き棚及びダンパーの作用は次の通り。
すなわち地震時でなく通常使用時に図４に示す様に開かれた扉等（９１）が閉じられる際には球等の地震検出体（３）は実線の位置にあり係止体（２）は上方にあるため扉等（９１）の係止具（７）は係止体（２）に当たることがない。
扉等（９１）は図４に示す様にダンパーの伸縮体（６）に直接当接しそれを押して緩衝されながら閉じられる。
ここで直接当接とは扉等（９１）の表面が傷つかない様に当て具（図示せず）を設けることを含む概念である。
次に地震時には扉等（９１）が閉じられた状態で地震時のゆれで装置本体（１）内の球等の地震検出体（３）が前方、後方または側方に移動することにより係止体（２）は一点鎖線に示す様にその先端が下方に回動する
従って地震時には扉等（９１）は実線の位置までわずかに開くがそれ以上は開放を停止され、地震時にばたつくロック状態となる。
ばたつく際の扉等（９１）の閉じる動きはダンパーがあるためダンパーの伸縮体（６）に扉等（９１）が当たり地震時のばたつきは緩衝される。
地震が終了すれば扉等（９１）はばね付き蝶番の力（ダンパーを縮ませる力を有する）で閉じられる一方球等の地震検出体（３）は実線の位置に戻る（底面の傾斜のため）。
これにより使用者は解除操作をすることなく地震が終了すれば扉等（９１）を自由に開くことができる。【００１０】次に図６は地震時ロック装置が設けられた本発明の他のダンパー付き棚を示し、該地震時ロック装置は図４と比較し装置本体（１）は同一であるが係止具（７）は当たり部（７ａ）を有する。
すなわち係止具（７）はその先端において下方に延びダンパーの伸縮体（６）に当接するための当たり部（７ａ）を有する。
該当たり部（７ａ）は両側の壁部（７ｂ）により補強され、従って係止具（７）は枠の様な形状になっている。
次にダンパー支持体（４）は図２のものと類似する形状であり装置本体（１）に重ねられて棚本体（９０）に固定される。
すなわち取付部（４ａ）の後方には壁部（４ｂ）が下方に延びて設けられ、該壁部（４ｂ）の下方に連続して支持部（４ｃ）が設けられる。
該支持部（４ｃ）はダンパーの本体（５）を支持するものであり、図示の実施例では本体（５）が挿入される。
以上の実施例に示した本発明のダンパー付き棚の作用であるが、地震時ロック装置の作用は図４のものと同様である。
またダンパーの作用は扉等（９１）の係止具（７）に当接するダンパーであり図１のものと同様である。
すなわち扉等（９１）の閉じる動きはダンパーがあるためダンパーの伸縮体（６）に係止具（７）の当たり部（７ａ）が当たり緩衝される。
【図面の簡単な説明】
【００１１】
【図１】本発明のダンパー付き棚の側面断面図
【図２】図１の棚に用いるダンパー支持体の斜視図
【図３】図１の棚の作動状態を示す側面断面図
【図４】本発明の他のダンパー付き棚の側面断面図
【図５】図４の棚に用いるダンパー支持体の斜視図
【図６】本発明の他のダンパー付き棚の側面断面図
【符号の説明】
【００１２】１    装置本体
２    係止体
３    地震検出体
４    ダンパー支持体
４ａ  取付部
４ｂ  壁部
４ｃ  支持部
４ｄ  ねじ孔
５    本体
６    伸縮体
７    係止具
７ａ  当たり部
７ｂ  壁部
８    ビス等
９０  本体
９１  扉等
【図１】
2007002643.tif 000003
【図２】
2007002643.tif 000004
【図３】
2007002643.tif 000005
【図４】
2007002643.tif 000006
【図５】
2007002643.tif 000007
【図６】
2007002643.tif 000008